(57)【要約】【課題】確実に有孔ブロックの端面の位置に対応させてコーキング材を設ける。【解決手段】複数の孔を備えた上壁、一対の側壁、および底壁により外周が囲われるとともに内部に上壁の孔と連通する内部空間を備える有孔ブロックの端部の開口を閉鎖するエンドプレート５０であって、有孔ブロックの開口の側の端面に対応して当接する当接面５１に溝部５１ａが形成されている。【選択図】図５
2010216159.tif 000002
【特許請求の範囲】
【請求項１】
複数の孔を備えた上壁、一対の側壁、および底壁により外周が囲われるとともに内部に上壁の孔と連通する内部空間を備える有孔ブロックの端部の開口を閉鎖するエンドプレートであって、
前記有孔ブロックの前記開口の側の端面に対応して当接する当接面に溝部が形成されているエンドプレート。
【請求項２】
前記溝部が前記有孔ブロックの周縁に対応して前記当接面に断続的に形成されている請求項１に記載のエンドプレート。
【請求項３】
前記エンドプレートが透明又は半透明である請求項１又は２に記載のエンドプレート。
【請求項４】
請求項１に記載のエンドプレートを用いて有孔ブロックの端部開口を閉鎖するエンドプレートの施工方法であって、エンドプレートに形成された前記溝部にコーキング材を充填する充填工程と、有孔ブロックの開口端面にエンドプレートを当接する閉鎖工程とを有することを特徴とするエンドプレートの施工方法。
【請求項５】
請求項２に記載のエンドプレートを用いて有孔ブロックの端部開口を閉鎖するエンドプレートの施工方法であって、エンドプレートに形成された前記溝部にコーキング材を充填する充填工程と、有孔ブロックの開口端面にエンドプレートを当接する閉鎖工程と、断続的に形成された溝部の溝部同士の隙間に対応する位置に、有孔ブロックの開口端面でエンドプレートを固定する固定具を穿設する固定工程とを有することを特徴とするエンドプレートの施工方法。
【発明の詳細な説明】
【技術分野】
【０００１】
本発明は、上水・用水・工業用水・生活廃水・工業廃水等などの被処理水に含まれる懸濁物などの被除去物を、ろ過・吸着・分解により、除去する水処理設備において、被除去物が除去された処理水を集水する集水装置で使用される有孔ブロックの端部を閉鎖するエンドプレートおよびその施工方法に関する。
【背景技術】
【０００２】
水処理設備では、例えば粒状媒体を充填して濾過層（処理層）を備えて当該懸濁物を除去する濾過手段（除去手段）を支持し、濾過層を通過して懸濁物が除去された処理済水を集水する有孔ブロックを備える（例えば特許文献１）。
【０００３】
有孔ブロックは、中空の断面が略矩形となる外壁（上壁・側壁・底壁）、および、当該外壁の内部において略逆Ｖ字形断面となる傾斜内壁が設けてある。この傾斜内壁により、有孔ブロックの内部空間を中央流通部および当該中央流通部の両側に位置する側方流通部に仕切っている。上壁の上方部および側方流通部、側方流通部および中央流通部はそれぞれ孔部を介して連通している。
【０００４】
濾過層には、砂利・珪砂・アンスラサイト・粒状活性炭などの粒状媒体が充填してあり、被処理水を濾過手段の上方より下向流で濾過層に通水すると、被処理水中に含まれる懸濁物が濾過層によって除去される。濾過層を通過して懸濁物が除去された処理水は、重力の作用により有孔ブロックの上壁に設けた上壁孔部を介して側方流通部に流入し、さらに側方流通部から中央流通部に流入することにより集水される。
【０００５】
一般に集水装置では、複数の有孔ブロックを平面状（二次元的に）に設置して濾過手段を支持している。具体的には、複数の有孔ブロックの内部空間が連通するように延設して、複数の有孔ブロックを直列に接続し、有孔ブロックどうしの側壁が対向するように並置して複数の有孔ブロックを並列に配置する。このように複数の有孔ブロックを設置することで、より多量の処理水を集水することができる。
有孔ブロックを並列に配設する際には、対向する側壁の間にモルタル等の充填材を充填している。当該充填材が固化することで、並置した有孔ブロックどうしを固定する。
【０００６】
上述のように、複数の有孔ブロックを格子状に並置する際に、有孔ブロックの長手方向の端部に配置された有孔ブロックは、当該端部方向に開口を有することになる。そこで、当該開口から処理水が流出したり、充填材が有孔ブロックに流入するのを防止するために、当該開口にエンドプレートが設けられ開口が閉鎖される。このとき、有孔ブロックの端面とエンドプレートに形成された当該端面との当接面とがコーキング材を介して当接した状態で、エンドプレートが有孔ブロックに固定される。
【先行技術文献】
【特許文献】
【０００７】
【特許文献１】特開２００４−３４６５７４号公報
【発明の概要】
【発明が解決しようとする課題】
【０００８】
ところで、一般的に、エンドプレートの当接面を有孔ブロックの端面に確実に当接させるために、エンドプレートの当接面の幅は有孔ブロックの端面の幅よりも大きく設定してある。このため、エンドプレートの当接面にコーキング材を設ける際に、確実に有孔ブロックの端面の位置に対応させてコーキング材を設けることが困難な場合があった。また、一般的に有孔ブロックの端面の幅はそれほど大きくなく、有孔ブロックの端面の側にコーキング材を設けることも困難な場合があった。
【０００９】
本発明は、上述の課題に鑑みてなされたものであり、その目的は、エンドプレートの当接面側にコーキング材を設けるに際し、確実に有孔ブロックの端面の位置に対応させてコーキング材を設けることにある。
【課題を解決するための手段】
【００１０】
本発明の特徴構成は、複数の孔を備えた上壁、一対の側壁、および底壁により外周が囲われるとともに内部に上壁の孔と連通する内部空間を備える有孔ブロックの端部の開口を閉鎖するエンドプレートであって、前記有孔ブロックの前記開口の側の端面に対応して当接する当接面に溝部が形成されている点にある。
【００１１】
本構成によれば、有孔ブロックとの当接面に溝部が形成されているので、当該当接面にコーキング材を設けるに際し、コーキング材を溝部に沿って充填し設けることにより、コーキング材を当接面の適切な位置に設けることができる。この結果、確実に有孔ブロックの端面の位置に対応させてコーキング材を設けることができる。
【００１２】
上述の構成において、前記溝部が前記有孔ブロックの周縁に対応して前記当接面に断続的に形成されていると好適である。
【００１３】
上述の構成によれば、案内溝が断続的に形成されるものの案内溝が形成されていない部分においても、隣接する案内溝を結ぶようにコーキング材を設けることにより、適切な位置にコーキング材を設けることができる。また、当接面に固定具を設けるに際し、固定具を溝部が形成されていない部分に対応させることで、溝部が邪魔になることがなく、エンドプレートを確実に有孔ブロックに固定することができる。従って、コーキング材を適切な位置に設けつつ、エンドプレートを有孔ブロックに確実に固定することができる。
【００１４】
また、上述の構成において、前記エンドプレートが透明又は半透明であると好適である。
【００１５】
上述の構成によればエンドプレートに裏面を透視することができる。このため、例えば、エンドプレートを有孔ブロックに固定した後であっても、コーキング材が確実に配置されているか否かを確認することができる。従って、コーキング材を適切に設けることができる。
【００１６】
本発明に係るエンドプレートの施工方法の特徴構成は、エンドプレートに形成された前記溝部にコーキング材を充填する充填工程と、有孔ブロックの開口端面にエンドプレートを当接する閉鎖工程とを有する点にある。
【００１７】
本構成のように、エンドプレートに形成された溝部にコーキング材を充填することによりコーキング材を当接面の適切な位置に設けることができる。この結果、確実に有孔ブロックの端面の位置に対応させてコーキング材を設けることができる。
【００１８】
また、本発明に係るエンドプレートの施工方法において、エンドプレートを用いて有孔ブロックの端部開口を閉鎖するエンドプレートの施工方法であって、エンドプレートに形成された前記溝部にコーキング材を充填する充填工程と、有孔ブロックの開口端面にエンドプレートを当接する閉鎖工程と、断続的に形成された溝部の溝部同士の隙間に対応する位置に、有孔ブロックの開口端面でエンドプレートを固定する固定具を穿設する固定工程とを有すると好適である。
【００１９】
本構成のように、断続的に形成された溝部の溝部同士の隙間に対応する位置に、有孔ブロックの開口端面でエンドプレートを固定する固定具を穿設することにより、溝部が邪魔になることがなく、固定具を確実に穿設することができる。このため、エンドプレートを確実に有孔ブロックに固定することができる。
【図面の簡単な説明】
【００２０】
【図１】集水装置の概略を一部切欠で示す斜視図である。
【図２】本発明の有孔ブロックの斜視図である。
【図３】集水装置の施工方法の各工程の流れ図である。
【図４】本発明のエンドプレートの取り付けを示す図である。
【図５】本発明のエンドプレートの詳細を示す斜視図である。
【図６】本発明のエンドプレートを固定した有孔ブロックを示す図である。
【発明を実施するための形態】
【００２１】
以下、本発明の実施例を図面に基づいて説明する。
本発明の集水装置Ｘは、上水・用水・工業用水・生活廃水・工業廃水等などの被処理水に含まれる懸濁物など（被除去物）をろ過・吸着・分解により除去する水処理設備Ｙにおいて、被除去物が除去された処理水を集水する。
【００２２】
図１に示したように、当該水処理設備Ｙは、粒状媒体１２を充填した処理層１１の上方より下向流で被処理水を通水して被処理水中に含まれる被除去物を処理層１１によって除去する除去手段１０を支持し、処理層１１を通過して被除去物が除去された処理水を中空の内部空間に集水する有孔ブロック２０と、複数の有孔ブロック２０を並置する際に、各有孔ブロック２０の間に充填する充填材３０と、を備えている。
【００２３】
（除去手段）
本実施形態の除去手段１０は、濾過処理によって被処理水中に含まれる被除去物を除去する場合について説明する。従って、処理層１１は濾過層となる。しかし、このような態様に限られるものではなく、生物処理によって被処理水中に含まれる被除去物を除去することも可能である。この場合、処理層１１は生物処理層となり、例えば粒状媒体１２の表面に被処理物を生物的に分解する微生物を担持させておく。
【００２４】
処理層１１には、珪砂、アンスラサイト・粒状活性炭などの粒状媒体１２が充填してある。本実施形態では二層の処理層１１を設けてあり、最下層から順に珪砂層１１ａ・アンスラサイト層１１ｂを配設したものを例示するが、これに限られるものではない。
被処理水を除去手段１０の上方に設けた排水トラフ５０より処理層１１に給水して処理層１１を通過させることで、被処理水中に含まれる被除去物が処理層１１によって除去される。なお、排水トラフ５０経由ではなく直接被処理水が供給される場合も有る。
【００２５】
（有孔ブロック）
図２に示すように、有孔ブロック２０は除去手段１０の下方に配置して除去手段１０を支持する。本実施形態では、除去手段１０と有孔ブロック２０との間には、多孔プレート６０を配設してある。
有孔ブロック２０は、中空で断面が略矩形となる外壁２１（上壁２１ａ・側壁２１ｂ・底壁２１ｃ）、および、当該外壁２１の内側に接続して有孔ブロック２０の内部空間を複数の空間に分割する傾斜内壁２２が設けてある。
有孔ブロック２０は、耐食性・耐圧性に優れた材質であれば、何れの材料で形成してもよいが、例えば発泡成形ポリエチレン製とすれば、軽量化することができるため、運搬や施工面で作業性がよい。
【００２６】
上壁２１ａは、除去手段１０の下面に直接接触して、或いは、多孔プレート６０を介して間接的に除去手段１０を支持する。側壁２１ｂは上壁２１ａに接続する一対の対向する壁であり、底壁２１ｃは当該一対の側壁２１ｂに接続する。また、傾斜内壁２２は、その断面が略逆Ｖ字形となるように形成してある。これにより、有孔ブロック２０の内部空間を、中央流通部Ａと当該中央流通部Ａの両側に位置する側方流通部Ｂとに仕切っている。このように、有孔ブロック２０の内部空間は、傾斜内壁２２によって三つの空間に分割されるが、この態様に限られるものではない。
【００２７】
上壁２１ａの上方部および側方流通部Ｂは、上壁２１ａに形成した複数の上壁孔部ａ１を介して連通しており、側方流通部Ｂおよび中央流通部Ａは、傾斜内壁２２に形成した第一内壁孔部ｂ１、第二内壁孔部ｂ２および第三内壁孔部ｂ３を介して連通している。処理層１１を通過して被処理物が除去された処理水は、重力の作用により、多孔プレート６０を通過した後に上壁孔部ａ１を介して側方流通部Ｂに流下し、さらに第一内壁孔部ｂ１、第二内壁孔部ｂ２および第三内壁孔部ｂ３を介して中流通部Ａに流下して集水される（集水処理）。処理水は、有孔ブロック２０の底壁２１ｃに形成した底壁開口部（図外）を経て有孔ブロック２０の下方に設けたフリューム７０を流下して、或いは、中央流通部Ａに接続する配管（図外）を流下して、所定の貯水槽に搬送される。
【００２８】
上壁２１ａの上面には、側壁２１ｂから延設する上壁第一リブ部２３ａ、上壁第一リブ部２３ａに平行な上壁第二リブ部２３ｂ、および、上壁第一リブ部２３ａと垂直に交差する上壁第三リブ部２３ｃが設けてある。本実施形態では、二本の上壁第一リブ部２３ａ、一本の上壁第二リブ部２３ｂ、十本の上壁第三リブ部２３ｃをそれぞれ形成した場合を示すが、これに限られるものではない。
これらリブ部２３ａ〜２３ｃによって、上壁２１ａの上面を複数の区画に分割してある。これらリブ部２３ａ〜２３ｃを設けることで上壁２１ａの耐圧性を強化することができ、除去手段１０の荷重による上壁２１ａの撓みを防止できる。
多孔プレート６０は、前記リブ部２３ａ〜２３ｃの上面に載置する。多孔プレート６０は、ボルトによって前記リブ部２３ａ〜２３ｃ或いは上壁２１ａに固定する。多孔プレート６０は、例えば、直径数ｍｍのペレットを多数接合して構成するとよい。当該ペレットとしては、ポリオレフィン等のプラスチックの他、セラミック、焼結金属等が使用可能である。
【００２９】
側壁２１ｂには、複数の有孔ブロック２０を並置する際に、各有孔ブロック２０の間に充填した充填材３０に、有孔ブロック２０が受けた上方及び下方からの荷重を伝達する側方リブ２４を形成してある。側方リブ２４は、水平方向に伸延する水平側方リブ２４Ａ、および、垂直方向に伸延する垂直側方リブ２４Ｂとすることができる。何れのリブ形状であっても、その上端面２４ａによって有孔ブロック２０が受けた上向荷重を充填材３０に伝達し、その下端面２４ｂによって有孔ブロック２０が受けた下向荷重を充填材３０に伝達する。上端面２４ａおよび下端面２４ｂは、略水平な面となるように構成すれば、有孔ブロック２０が受けた上向荷重および下向荷重を充填材３０に確実に伝達することができる。さらに、上端面２４ａ或いは下端面２４ｂが、側壁２１ｂに対して鋭角的に交わるように構成すれば、有孔ブロック２０が受けた上向荷重および下向荷重を充填材３０に確実に伝達して、有孔ブロック２０及び充填材３０が垂直方向に互いに位置ズレするのを確実に防止することができる。
【００３０】
有孔ブロック２０は、逆洗用媒体によって上向荷重を受け、濾過手段の重量による下向荷重を常に受ける。当該上向荷重を受けると、有孔ブロック２０が上方向に相対移動しようとする応力が作用し、当該下向荷重を受けると、有孔ブロック２０が下方向に相対移動しようとする応力が作用する。本構成では、有孔ブロック２０が受けた上方及び下方からの荷重を充填材３０に伝達する側方リブ２４を形成することから、有孔ブロック２０に上向荷重あるいは下向荷重が作用した場合であっても、側方リブ２４によってこれら荷重を固化した充填材３０に伝達するため、充填材３０に対する有孔ブロック２０の相対位置を固定することができる。そのため、有孔ブロック２０及び充填材３０が垂直方向に互いに位置ズレするのを防止できる。
側方リブ２４は、水平側方リブ２４Ａおよび垂直側方リブ２４Ｂの少なくとも何れか一方を形成するとよい。
【００３１】
（エンドプレート）
上述のように、複数の有孔ブロック２０を格子状に並置する際に、側方流通部Ｂおよび中央流通部Ａの軸芯方向（つまり、有孔ブロック２０の長手方向）に隣接する有孔ブロック２０同士が接続される。そして、前記軸心方向の端部に配置された有孔ブロック２０は、当該端部方向に開口を有することになる。そこで、当該開口から処理済水が流出したり、充填材３０が有孔ブロック２０に流入するのを防止するために、図４及び図６に示すように、当該開口にエンドプレートが設けられ開口が閉鎖される。
【００３２】
図４〜６に示すように、エンドプレート５０は、上壁２１ａ、一対の側壁２１ｂ、および、底壁２１ｃによって形成される外周端面２１ｄに当接する外周当接面５１と、一対の傾斜内壁２２によって形成される内壁端面２２ａに当接する内側当接面５２とを備える。外周当接面５１は、コーキング材８０を介して外周端面２１ｄに当接する。外周当接面５１及び内側当接面５２は、有孔ブロック２０の断面形状に対応して、外周当接面５１が略四角形状であり、その内側に略逆Ｖ字形状の内側当接面５２が外周当接面５１と連続的に設けられている。なお、外周当接面５１及び内側当接面５２は、必ずしも上述の形状に限定されるものではなく、有孔ブロック２０の断面形状に対応した形状であればよい。
【００３３】
外周当接面５１には、当該外周当接面５１の周方向に沿って断続的に他の部分よりも幅の広い部位が形成されている。この幅の広い部位がエンドプレートを有孔ブロック２０に固定する際にステープル９０などの固定具９を設ける被固定部５１ｂとなる（図１０を参照）。また、外周当接面５１には、コーキング材８０を設ける際に当該コーキング材の充填を案内する案内溝５１ａ（本発明の溝部の一例）が設けられている。この案内溝５１ａは、外周当接面５１の外周当接面５１に対向する部分のうち被固定部５１ｂ以外の部位に周方向に沿って、断続的に形成されている。
【００３４】
また、エンドプレート５０には、中央流通部Ａに対応して膨出する中央膨出部５４と側方流通部Ｂに対応して膨出する側方膨出部５３とが形成され、中央膨出部５４と側方膨出部５３とが、内側当接面５２により区画されている。中央膨出部５４の外周形状は中央流通部Ａの断面形状と略同じ形状であり、その外周寸法は中央流通部Ａの内周寸法と略同一の寸法又は若干小さめに設定してある。また、中央膨出部５４の内部には、有孔ブロック２０の外側に引退する引退部５５ａが形成されている。一方、側方膨出部５３は、側方流通部Ｂの断面形状と略同じ形状であり、その外周寸法は中央流通部Ａの内周寸法と略同一の寸法又は若干小さめに設定してある。
【００３５】
上述のように、エンドプレート５０は、有孔ブロック２０の端面と対向する面の側においては、中央膨出部５４と側方膨出部５３とが突出し、外周当接面５１、内側当接面５２、および、引退部５５ａ，５５ｂが引退した形状を呈する（図５を参照）。一方、有孔ブロック２０の端面と対向する面とは反対の面の側（つまり、充填材３０と対向する面の側）においては、中央膨出部５４と側方膨出部５３とが引退し、外周当接面５１の裏面、内側当接面５２の裏面、および、引退部５５ａが突出した形状を呈する（図４を参照）。
【００３６】
上述のように、エンドプレート５０に凹凸形状を設けることにより、当該凹凸形状がリブとして作用し、充分な強度を発揮することができる。また、充填材３０と対向する面の側においては、当該凹凸形状により充填材３０が支持されることになり、充填材３０が有孔ブロック２０の内部に流入するのを防止することができる。
【００３７】
エンドプレート５０は、例えばポリプロピレン製で、透明又は半透明である。このエンドプレート５０は、例えば、ポリプロピレン製の板部材を金型により深絞り成形することにより得られる。
【００３８】
このようにエンドプレート５０を透明又は半透明にすることにより、エンドプレート５０の裏面を透視することができる。このため、例えば、エンドプレート５０を有孔ブロック２０に固定した後であっても、コーキング材８０が確実に配置されているか否かを確認することができ、コーキング材８０を適切に設けることができる。
【００３９】
なお、エンドプレート５０は必ずしもポリプロピレン製のものに限られるものではなく、また、非透明のものであってもよい。さらに、例えば、射出成形など深絞り成形以外の成形方法により加工されたものであってもよく、また、例えば切削加工など成形以外の方法で加工されたものであってもよい。
【００４０】
（充填材）
充填材３０は、複数の有孔ブロック２０を並置する際に、各有孔ブロック２０の間に充填する。
充填材３０は、モルタル・コンクリート等、間隙等に流動状態で投入した後、経時的に固化する態様のものであれば、公知の充填材を使用することができる。固化した充填材３０は、並置した有孔ブロック２０の間隙を埋めると共に、各有孔ブロック２０どうしを強固に接着して固定することで、有孔ブロック２０の上方に載置した除去手段１０を安定して支持することができる。
【００４１】
有孔ブロック２０および充填材３０の下方にフリューム７０が形成してある場合、充填材３０がフリューム７０に落下するのを防止するため、有孔ブロック２０どうしの間には、それぞれの側壁２１ｂの下方にフリューム７０を受けるブリッジング（図外）を配設する。
【００４２】
（補強部材）
図１に示すように、本発明の集水装置Ｘは、充填材３０の中には、有孔ブロック２０の高さ方向における中間位置より上方に上方補強部材４１、および、中間位置より下方に下方補強部材４２を配設してある。
【００４３】
本構成であれば、有孔ブロック２０に上向荷重あるいは下向荷重が作用した場合であっても、固化した充填材３０の上側領域には上方補強部材補強部材４１が存在し、下側領域には下方補強部材４２が存在するため、上側領域および下側領域には引張応力が発生し難くなる。そのため、固化した充填材３０における上側領域あるいは下側領域が破壊されるのを未然に防止できる。
補強部材４０である上方補強部材４１および下方補強部材４２は、例えば鉄筋・木材等を使用することができるが、これらに限られるものではない。固化した充填材３０がその長さに亘って破壊しないようにするため、例えば水平に長尺状に配置できる態様のものであれば使用できる。
【００４４】
（集水装置の施工方法）
本発明の集水装置Ｘの施工方法は、図３に示したように、有孔ブロック接続工程Ｐ１と、有孔ブロック設置工程Ｐ２と、補強部材配設工程Ｐ３と、充填工程Ｐ４と、を有する。
【００４５】
有孔ブロック接続工程Ｐ１は、有孔ブロック２０の複数を長手方向に一列に接続する。
有孔ブロック設置工程Ｐ２は、上述した接続工程Ｐ１により一列に接続された有孔ブロックの列を設置する。また、図４に示すように、長手方向の端部に配置された有孔ブロック２０にエンドプレート５０が設けられる。先ず、図５に示すように、エンドプレート５０の外周当接面５１の全周に沿ってコーキング材８０が設けられる。このとき、案内溝５１ａがコーキング材８０を案内するので、コーキング材８０を適切な位置に設けることができる。その後、中央膨出部５４を中央流通部Ａに挿入し、側方膨出部５３を側方流通部Ｂにそれぞれ挿入することにより、外周当接面５１を外周端面２１ｄに、内側当接面５２を内側端面２２ａにそれぞれ当接させる。その後、外周当接面５１に形成された被固定部５１ｂと有孔ブロック２０とに渡ってステープル９０（固定具９の一例）を穿設することにより、エンドプレート５０を有孔ブロック２０に固定する。
【００４６】
上述のように、コーキング材８０を案内溝５１ａに沿って設けることにより、確実に有孔ブロック２０の外周端面２２ａの位置に対応させてコーキング材８０を設けることができる。なお、この実施形態において、案内溝５１ａは外周当接面５１の全周に渡って連続的に形成されるのではなく、断続的に形成されるものの案内溝５１ａが形成されていない被固定部５１ｂにおいても、隣接する案内溝５１ａ同士を結ぶようにコーキング材８０を設けることにより、適切な位置にコーキング材８０を設けることができる。また、被固定部５１ｂには案内溝５１ａが形成されていないので、当接面５１にステープル９０を穿設するに際し、案内溝５１ａが邪魔になることがなく、エンドプレート５０を確実に有孔ブロック２０に固定することができる。
【００４７】
補強部材配設工程Ｐ３は、有孔ブロック設置工程Ｐ２により設置された有孔ブロックの列に隣接して、有孔ブロック２０の高さ方向における中間位置より上方に上方補強部材４１、および、中間位置より下方に下方補強部材４２を配設する。
本実施形態では、上述の有孔ブロック設置工程Ｐ２と補強部材配設工程Ｐ３とが交互に繰り返されて、並列に配設した各有孔ブロック２０の間に、上方補強部材４１、および、下方補強部材４２を配設した状態となる。
充填工程Ｐ４は、並列に配設した各有孔ブロック２０の間に充填材３０を充填する。
【００４８】
（逆洗処理）
水処理設備Ｙで被処理水を濾過処理するに従い、経時的に処理層１１が被除去物によって目詰まりする。当該目詰まりが発生すれば処理層の濾過性能は低下する。そのため、定期的に逆洗処理を行って処理層に詰まった被除去物を除去している。当該逆洗処理を行うことで、処理層の濾過性能を復活させることができる。
【００４９】
本実施形態の逆洗処理は、有孔ブロック２０の下方に設けたフリューム７０や中央流通部Ａに接続された配管等を介して、中央流通部Ａ内に気体あるいは液体等の逆洗用媒体を流通させる。具体的には、当該逆洗用媒体を、中央流通部Ａから、傾斜内壁２２の内壁孔部ｂ１〜ｂ３、上壁２１ａの上壁孔部ａ１、および多孔プレート６０を介して除去手段の処理層１１に噴出させる。この噴出された逆洗用媒体によって、処理層１１に詰まった異物（被除去物）を取り除くことができる。
尚、本実施形態では、集水処理時には処理水を配管によって所定の貯水槽に搬送しているが、逆洗処理時には、処理水を所定の貯水槽に搬送する方向とは逆方向に逆洗用媒体を当該配管によって流通させる。
【００５０】
［別実施形態］
上述の実施形態では、案内溝５１ｂを断続的に設ける例を示したが、案内溝５１ｂは、外周当接面の全周に沿って連続的に形成しても良い。また、固定具は、用いない、又は、ステープル以外のものであってもよい。
また、上述の実施形態では、エンドプレート５０の当接面のうち外周当接面５１にのみ案内溝５１ｂを設ける場合を例に説明したが、内側当接面５２にもコーキング材８０を設ける場合には、内側当接面５２にも案内溝５１ｂを設けてもよい。
【産業上の利用可能性】
【００５１】
本発明は、上水・用水・工業用水・生活廃水・工業廃水等などの被処理水に含まれる懸濁物（被除去物）を、ろ過・吸着・分解により、除去し、被除去物が除去された処理水を集水する処理を行う水処理設備において、集水装置で使用される有孔ブロックの端部を閉鎖するエンドプレートおよびその施工方法として利用することができる。
【符号の説明】
【００５２】
Ｘ            集水装置
９            固定具
１０          除去手段
１１          処理層
１２          粒状媒体
２０          有孔ブロック
２１ｄ        外周端面
２２ａ        内側端面
５０          エンドプレート
５１          外周当接面
５１ａ        案内溝
５１ｂ        被固定部
５２          内側当接面
８０          コーキング部材
９０          ステープル
【図１】
2010216159.tif 000003
【図２】
2010216159.tif 000004
【図３】
2010216159.tif 000005
【図４】
2010216159.tif 000006
【図５】
2010216159.tif 000007
【図６】
2010216159.tif 000008